(57)【要約】      （修正有）【課題】自宅において故人の供養を行うことを可能とする供養具を提供する。【解決手段】内部に遺骨、遺灰及び遺品等を収納するための開口部を有する収納空間を備えた本体部１０と、開口部を覆う蓋部１２とを備える供養具１００とする。本体部１０、蓋部１２及び装飾部１４は、一般的な墓石と同様に石材から構成してもよいし、携帯性を高めるためにより軽量なプラスチック等の材料で構成してもよい。ただし、これらの材料に限定されるものでなく、故人を供養するために十分な程度に安定性を有する材料で構成すればよい。【選択図】図１
0003171543.tif 000002
【実用新案登録請求の範囲】
【請求項１】
内部に遺骨、遺灰及び遺品等を収納するための開口部を有する収納空間を備えた本体部と、
前記開口部を覆う蓋部と、
を備え、
持ち運びが可能である供養具。
【考案の詳細な説明】
【技術分野】
【０００１】
本考案は、遺骨、遺灰や遺品等を納めることができる供養具に関する。
【背景技術】
【０００２】
これまで、故人の供養は墓地に墓石を設置し、墓石又は地下唐櫃（カロート）に納骨することによって行われている。
【考案の概要】
【考案が解決しようとする課題】
【０００３】
ところで、以前は比較的広い土地に墓石を建てることが容易であったが、都市部への人口の集中、土地の多方面への利用性等の要因により、墓地として利用可能な土地が限られてきている。このため、墓石を設置して故人を供養することが困難な状況になっている。
【０００４】
また、価値観の多様化に伴って、墓石を設置しての供養に拘らず、様々な供養の方法を提供することが望まれている。
【課題を解決するための手段】
【０００５】
本考案の１つの態様は、内部に遺骨、遺灰及び遺品等を収納するための開口部を有する収納空間を備えた本体部と、前記開口部を覆う蓋部と、を備え、持ち運びが可能である供養具である。
【考案の効果】
【０００６】
本考案によれば、自宅において故人の供養を行うことを可能とする供養具を提供することができる。
【図面の簡単な説明】
【０００７】
【図１】本考案の実施の形態における供養具の全体構成を示す斜視図である。
【図２】本考案の実施の形態における供養具の本体部及び蓋部の構成を示す斜視図である。
【図３】本考案の実施の形態における供養具の本体部、蓋部及び装飾部の構成を示す斜視図である。
【図４】本考案の実施の形態における供養具の別例の全体構成を示す斜視図である。
【図５】本考案の実施の形態における供養具の別例の本体部の構成を示す斜視図である。
【考案を実施するための形態】
【０００８】
本考案の実施の形態における供養具１００は、図１の斜視図に示すように、本体部１０、蓋部１２及び装飾部１４を備える。
【０００９】
本体部１０、蓋部１２及び装飾部１４は、一般的な墓石と同様に石材から構成してもよいし、携帯性を高めるためにより軽量なプラスチック等に材料で構成してもよい。ただし、これらの材料に限定されるものでなく、故人を供養するために十分な程度に安定性を有する材料で構成すればよい。
【００１０】
本体部１０は、墓石の基壇を模した供養具１００の基部となる部分である。本体部１０は、例えば、直方体形状を有する。本体部１０の上面には、図２の斜視図に示すように、開口部１０ａを有する収納空間１０ｂが設けられる。収納空間１０ｂは、故人の供養のために遺骨、遺灰や故人に関する物品を収納するための空間として用いることができる。これらの物品は開口部１０ａから収納空間１０ｂ内に納めることができる。
【００１１】
蓋部１２は、図１に示すように、本体部１０上に置かれる墓石の台石を模した部分である。蓋部１２は、例えば、本体部１０より小さな直方体形状を有する。蓋部１２は、供養具１００を装飾すると共に、本体部１０に設けられた収納空間１０ｂの開口部１０ａの蓋として機能する。すなわち、蓋部１２を本体部１０上に設置することにより、本体部１０に設けられた収納空間１０ｂの開口部１０ａが塞がれる。
【００１２】
装飾部１４は、図１に示すように、蓋部１２上に置かれる墓石の竿石を模した部分である。装飾部１４は、例えば、鉛直方向に縦長の直方体形状を有する。装飾部１４には、故人の戒名や好みの言葉等を記したり、模様等の装飾を施したりすることができる。
【００１３】
ここで、図２の斜視図に示すように、蓋部１２の下面に開口部１０ａより外周が一回り小さな凸部１２ａを設け、開口部１０ａに凸部１２ａが嵌り込むような構成とすることが好ましい。また、図３の斜視図に示すように、蓋部１２の上面と装飾部１４の下面に凹部１２ｂ及び凸部１４ａを設け、凸部１４ａが凹部１２ｂに嵌り込むような構造とすることが好適である。このような構造とすることで、本体部１０、蓋部１２及び装飾部１４を互いに強固に組み合わせることができる。これにより、室内等に設置された供養具１００に不用意に触れてしまった場合であっても本体部１０、蓋部１２及び装飾部１４が相互にずれることがなくなり、安全性を高めることができる。
【００１４】
なお、収納空間１０ｂ、凸部１２ａ、凹部１２ｂ、凸部１４ａ等の構成（大きさ、形状、位置等）は、本実施の形態の構成に限定されるものではない。本考案の基本的な技術思想は、故人に関する物品を収納して供養できる構成であればよい。
【００１５】
本考案における供養具１００は、家庭において室内等に設置することができる程度の大きさとされる。例えば、供養具１００全体としての高さが３０ｃｍ程度、幅が２０ｃｍ程度とする。このように供養具１００の携帯性を高めることによって、自宅の室内等に置いて故人を供養することができる。
【００１６】
また、本考案の供養具は図１に示した構造に限定されるものではない。例えば、図４に示すように、デザイン性に富んだ供養具２００としてもよい。供養具２００は、球形状を有する本体部２０、輪形状を有する装飾部２２、及び平板形状の台部２４を備える。
【００１７】
本体部２０には、図５（ａ）に示すように、線香立て部２０ａ等を設けて、供養に供することができるようにしてもよい。また、装飾部２２は、供養具２００の美観を高めるようにデザインされる。
【００１８】
このような構成においても、本体部２０に収納空間を設け、その収納空間に故人に関する物品を収納して供養できる構成とすればよい。例えば、図５（ｂ）に示すように、本体部２０の底部に収納空間２０ｂを設け、蓋部２０ｃによって蓋ができるような構成とする。収納空間２０ｂと蓋部２０ｃとはネジ止め等で固定できる構成とすればよい。
【００１９】
また、本考案の供養具は、故人の供養に限定されるものではなく、ペット等の動物の供養に用いることもできる。この場合、動物の形状を象った本体部とし、その本体部にペットに関する物品を収容できるようにしてもよい。すなわち、本考案は、故人やペット等に関する物品を収納して供養できる構成であれば、特定のデザイン等に限定されるものではない。
【符号の説明】
【００２０】
１０  本体部、１０ａ  開口部、１０ｂ  収納空間、１２  蓋部、１２ａ  凸部、１２ｂ  凹部、１４  装飾部、１４ａ  凸部、２０  本体部、２０ａ  線香立て部、２０ｂ  収納空間、２０ｃ  蓋部、２２  装飾部、２４  台部、１００，２００  供養具。
【図１】
0003171543.tif 000003
【図２】
0003171543.tif 000004
【図３】
0003171543.tif 000005
【図４】
0003171543.tif 000006
【図５】
0003171543.tif 000007